(57)【要約】本発明は、ブライアー材の根部又は枝部を用いて木管楽器及び金管楽器の部品を製造する方法に関するものである。該ブライアー材は切断された瞬間から水で煮沸するまで１６時間湿潤させ、嫌気的条件下で乾燥させ、被覆させた状態で６ヶ月間、２年間まで、ないし２年間以上養生する。このようにして次の部品を作ることができる：マウスピース、タング、クラリネットバレル、フルートヘッド又はベル。湿気の影響を受けない上述の部品は、音をより良く作り、伝える。さらに、ジャズ、クラシック、ソリスト、オーケストラ、バンド等の広範囲な音が可能である。
2009512888.tif 000002
【特許請求の範囲】
【請求項１】
ブライアー材を少なくとも６ヶ月間、２年間まで、ないし２年間以上養生して製造することを特徴とする、全種類の木管楽器及び金管楽器に結合されるマウスピース。
【請求項２】
ブライアー材を少なくとも６ヶ月間、２年間まで、ないし２年間以上養生して製造することを特徴とする、リードを必要とする全種類の木管楽器に結合されるリード。
【請求項３】
ブライアー材を少なくとも６ヶ月間、２年間まで、ないし２年間以上養生して製造することを特徴とする、全種類のクラリネットに結合される小型のバレル。
【請求項４】
ブライアー材を少なくとも６ヶ月間、２年間まで、ないし２年間以上養生して製造することを特徴とする、ベルを必要とする全種類の木管楽器結合されるベル。
【請求項５】
ブライアー材の枝部を少なくとも６ヶ月間、２年間まで、ないし２年間以上養生して製造することを特徴とする、リコーダー及び横吹きのフルートに結合されるフルートヘッド。
【発明の詳細な説明】
【技術分野】
【０００１】
本発明は、木管楽器及び金管楽器に用いられるマウスピース並びにこれらの楽器の他の構成部分に関するものである。
【０００２】
本発明は、ブライアー材の根部及び枝部を異なる期間煮沸し、乾燥させ、ワックス仕上げをして６ヶ月間、２年間まで、ないし２年間以上養生し、木管楽器及び金管楽器に結合させるマウスピースの製造、並びに、同じ材料により製造された該楽器の他の構成部分の製造に関するものである。
【背景技術】
【０００３】
ここで取り扱われる楽器の基礎的な構成部分であるマウスピースは、演奏者から楽器のボディー内に吹き込まれる空気の強制的な伝導により音を作るために、サクソフォーン、クラリネット、横吹きのフルート、リコーダー等に用いられる。木管楽器及び金管楽器のいずれにおいても、追求するピッチとトーンとを考えて種々の形状と寸法とを有するエボナイトのマウスピースが用いられている。
【０００４】
エボナイトのマウスピースにより得られる唯一の利点は、マウスピースの開口と深さとの種々の標準寸法により得られるジャズ、クラシック等の音の専門性にある。
【発明の開示】
【発明が解決しようとする課題】
【０００５】
上記利点にかかわらず、エボナイトのマウスピースは欠点を有する。例えば、エボナイトのマウスピースは、アレルギーの問題を引き起こすことがあり、極端な寒暖の変化により楽器のミスチューニングが生じ、合成製品の極端な味と臭いとがあり、種々のピッチを作るためのマウスピースの開口と深さとの極端な多様性が正しい選択の困難性を伴うと共に演奏者、特に初心者、に音を作るために過度の努力を要求するのである。音に関しては、これは思うほどに包み込むようなものでも、バランスのとれたものでもなく、同じ音について種々の長さと深さとを有する極めて不規則な波を作ると共に好ましくないハーモニーを与える。
【発明の効果】
【０００６】
ここに開示するマウスピースは、各種楽器につき単一の寸法で製造され、ブライアー材の根部又は枝部を抜取り又は切断後水で煮沸するまで１６時間湿潤させ、少なくとも６ヶ月間嫌気的条件下で乾燥させ、最終的なワックスベースの上塗りを被せた状態で通常の環境条件下にて６ヶ月間、２年間まで、ないし２年間以上養生する。養生期間が長いほど音質が良いことは言うまでもない。
【０００７】
本発明は、不変であり、湿度により影響を受けることがなく、かつ、膨張収縮することがない上記楽器のマウスピースその他の構成部分を提供するものである。また、本発明は、自然な硬い高密度の製品を提供するものであり、したがって、音のより優れた演出家と指揮者とを提供するものであり、同時に、自然で包み込むような音を作り出すリードの柔軟かつ価値ある特徴を提供するものである。音楽家に高く評価される点は、与えられたマウスピース又はリードがジャズ、クラシック、ソリスト、オーケストラ及びバンドの広範囲にわたる音を出すことを最少の努力で容易ならしめることにある。
【発明を実施するための最良の形態】
【０００８】
本発明とその範囲の説明を完成させるために、比較のためにエボナイトのマウスピースとブライアーのマウスピースとを用いて同じテノールサクソフォーンから得られたド、レ、ミ、ファ、ソ、ラ、シの自然な音楽の音についての図表の写しと一組の図面とを本明細書に添付した。
【０００９】
このマウスピースの長さは、テノールサクソフォーンのマウスピースの長さよりも６〜１０ミリ大きい。厚さは、テノールサクソフォーンのマウスピースの厚さよりも０．１〜０．２ミリ大きい。
【００１０】
比較検討すると、第２頁に示すドの音の写しから、エボナイトのマウスピースにより作られるこの音の波は、明らかに鋸歯状の外観を呈し、波の振幅においてより著しい差異を有していることがわかる。しかしながら、ブライアーのマウスピースの場合には、異なる振幅の波の同じ連続を呈しながら、一対の波の鋸歯状の外観と振幅の差異は気付き難いものである。
【００１１】
【表１】
2009512888.tif 000003
ドの音  エボナイトのマウスピース
【００１２】
【表２】
2009512888.tif 000004
ドの音  ブライアーのマウスピース
【００１３】
第３頁に示すレの音の比較において、異なるマウスピースにより作られる音の間に顕著な差異は認められないが、一対の波における振幅の規則正しさについてはブライアーのマウスピースの方が高い。
【００１４】
【表３】
2009512888.tif 000005
レの音  エボナイトのマウスピース
【００１５】
【表４】
2009512888.tif 000006
レの音  ブライアーのマウスピース
【００１６】
第４頁に示すミの音の写しにおいて、エボナイトのマウスピースの波はドの音に比べれば鋸歯状が緩和されているものの、ブライアーのマウスピースの場合には音の純粋性と規則正しさは音叉のものに相当する。
【００１７】
【表５】
2009512888.tif 000007
ミの音  エボナイトのマウスピース
【００１８】
【表６】
2009512888.tif 000008
ミの音  ブライアーのマウスピース
【００１９】
第５頁に示すファの音の写しから明らかなように、エボナイトのマウスピースは他の音に対して改良されているが、ブライアーのマウスピースの場合には波長と振幅との間の釣り合いがほぼ完璧である。
【００２０】
【表７】
2009512888.tif 000009
ファの音  エボナイトのマウスピース
【００２１】
【表８】
2009512888.tif 000010
ファの音  ブライアーのマウスピース
【００２２】
第６頁に示すソの音の観察から、音の相違が明らかに推測され、ブライアーのマウスピースの場合には遥かに規則正しいものであって、エボナイトのマウスピースに見られる鋸歯状の様相がない。
【００２３】
【表９】
2009512888.tif 000011
ソの音  エボナイトのマウスピース
【００２４】
【表１０】
2009512888.tif 000012
ソの音  ブライアーのマウスピース
【００２５】
第７頁に示すラの音にていては、エボナイトのマウスピースの場合には波の上部が鋸歯状をなしているが、ブライアーのマウスピースの場合にはこれがなく、ブライアーのマウスピースは規則正しさにおいて前者を上回る。
【００２６】
【表１１】
2009512888.tif 000013
ラの音  エボナイトのマウスピース
【００２７】
【表１２】
2009512888.tif 000014
ラの音  ブライアーのマウスピース
【００２８】
最後に、第８頁に示すシの音ついては、波の形態における差異は目立たないが、波の振幅における差異は音域の振幅に関する実質的な差異を想起させる。
【００２９】
【表１３】
2009512888.tif 000015
シの音  エボナイトのマウスピース
【００３０】
【表１４】
2009512888.tif 000016
シの音  ブライアーのマウスピース
【図面の簡単な説明】
【００３１】
【図１】テノールサクソフォーンのマウスピースの逆にした外形図である。
【図２】同上マウスピースの平面図である。
【図１】
2009512888.tif 000017
【図２】
2009512888.tif 000018
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
ブライアー材の根部又は枝部を切断後水で煮沸するまで１６時間湿潤させ、嫌気的条件下で乾燥させ、被覆した状態で少なくとも６ヶ月間、２年間まで、ないし２年間以上養生して製造することを特徴とする、マウスピース、リード、小型のバレル、ベル又はフルートヘッドである木管楽器及び金管楽器の部品の製造方法。
【請求項２】
製造される前記部品は、全種類の木管楽器及び金管楽器に結合されるマウスピースであることを特徴とする請求項１に記載の方法。
【請求項３】
製造される前記部品は、全種類の木管楽器及び金管楽器に結合されるリードであることを特徴とする請求項１に記載の方法。
【請求項４】
製造される前記部品は、全種類のクラリネットに結合される小型のバレルであることを特徴とする請求項１に記載の方法。
【請求項５】
製造される前記部品は、全種類のクラリネットに結合されるベルであることを特徴とする請求項１に記載の方法。
【請求項６】
製造される前記部品はフルートヘッドであることを特徴とする請求項１に記載の方法。
【国際調査報告】
2009512888.tif 000019
2009512888.tif 000020
2009512888.tif 000021
2009512888.tif 000022
2009512888.tif 000023
2009512888.tif 000024